(57)【要約】【課題】  投影部構造の一層の小型化と簡素化とを図り、照明器本体における光源が傾いていても、明瞭なシルエットを投影表示させ、照明器本体部分との組み合わせが容易となるようユニット化も可能とする。【解決手段】  照明器本体１における光源４を覆う光源収納室１２と、この光源収納室１２前方に配置する凸レンズ１４を収納するレンズ室１３と、このレンズ室１３の更に前方に配置する投影板１６を保持固定する投影室１５とを備え、これらの光源収納室１２、レンズ室１３、投影室１５等夫々を区画し、光軸線に沿った開口部を開口してある区画壁を有して筒状に構成して光源カバー１０とする。照明器本体１は、筒状の電池収納室２を後部に、前方に突出配置させたＬＥＤ素子の光源４を固定した光源部５を前部に夫々配置して構成する。【選択図】      図１
0003105026.tif 000002
【実用新案登録請求の範囲】
【請求項１】
照明器本体における光源を覆い、収納する光源収納室と、この光源収納室前方に配置する凸レンズを収納するレンズ室と、このレンズ室の更に前方に配置する投影板を保持固定する投影室とを備え、これらの光源収納室、レンズ室、投影室等夫々を区画し、光軸線に沿った開口部が開口されている区画壁を有して筒状に構成したことを特徴とする投影型照明装置の光源カバー。
【請求項２】
光源収納室の後部には、照明器本体の前部に形成した取付段部突条に嵌め合わせる嵌め合い段部を形成すると共に、光源を配置固定する光源嵌め合い口を開口形成してある請求項１に記載の投影型照明装置の光源カバー。
【請求項３】
照明器本体は、筒状の電池収納室を後部に、前方に突出配置された光源を固定した光源部を前部に夫々配置してある請求項１または２に記載の投影型照明装置の光源カバー。
【請求項４】
光源はＬＥＤ素子である請求項１乃至３のいずれかに記載の投影型照明装置の光源カバー。
【考案の詳細な説明】
【技術分野】
【０００１】
この考案は例えば各種キャラクター等の外郭形状を壁面その他に投影したり、その外郭形状で照明したりするのに好適で、特にそのキャラクター等の外郭形状をクリアに投影表示できるように、照明器本体前部に装着固定可能にした投影型照明装置の光源カバーに関する。
【背景技術】
【０００２】
従来から本出願人は、アニメ・漫画等更にはロゴその他の各種のキャラクター等の外郭形状を壁面その他に投影する携帯容易な懐中電灯型の照明装置を提案しており、例えば特許文献１にある通りである。すなわち、電池を収納した照明器本体の前部に発光ダイオードの如きＬＥＤ素子を配装すると共に、このＬＥＤ素子を覆うように、キャラクターの外郭形状を呈する開口部が設けられた投影盤、その開口部投影内形を調整する投影レンズ夫々を設けたレンズ鏡胴筒体を前後にスライド自在にして嵌め合わせたものである。
【０００３】
またこれとは別に図４に示されるように、前部にＬＥＤ素子の光源４が配置されている照明器本体１の前部に、投影室胴体部２１とレンズ室胴体部２３とを連結一体化することで構成したものがある。これによる投影室胴体部２１は、光源４自体を覆う光源室２２と、この光源室２２前方に配置する投影板２６を保持固定する投影室２５とを備えて成り、またレンズ室胴体部２３は、光源４前方に配置する凸レンズ２４を保持収納するように形成されて成り、夫々は光軸線に沿った開口部が開口されている区画壁を有する筒状に構成されている。
【特許文献１】登録実用新案第３０７３４００号公報
【考案の開示】
【考案が解決しようとする課題】
【０００４】
ところがこの従来の特許文献１による照明装置によると、キャラクターの外郭形状を投影表現しているレンズ鏡胴筒体自体は比較的に複雑な構成となっており、それ故、小型、安価に提供するには少なからずの難点があった。また図４に示された従来技術によると、照明器本体１に設けられるＬＥＤ素子の光源４では、照明器本体１に対して若干でも傾いて取り付けられると、これを光源として投影表示されるキャラクター等のシルエットは不鮮明となり、投影板２６の前方に凸レンズ２４が配置されていることとも相俟ち、その外郭形状の明確さに欠けるものでもあった。
【０００５】
そこでこの考案は叙上のような従来存した諸事情に鑑み案出されたもので、光源が発光ダイオードのＬＥＤ光源とすることで小型化できたことに対応して、投影部構造の一層の小型化と簡素化とを図ることができると共に、投影されるシルエットの外郭形状を明瞭にし、特に照明器本体におけるＬＥＤ素子の光源が例えば傾斜して取付配置されていても明瞭なシルエットを投影表示できるようものとし、また、照明器本体部分との組み合わせが容易となるようユニット化も可能な投影型照明装置の光源カバーを提供することを目的とする。
【課題を解決するための手段】
【０００６】
上述した課題を解決するため、この考案にあっては、照明器本体１における光源４を覆い、収納する光源収納室１２と、この光源収納室１２前方に配置する凸レンズ１４を収納するレンズ室１３と、このレンズ室１３の更に前方に配置する投影板１６を保持固定する投影室１５とを備え、これらの光源収納室１２、レンズ室１３、投影室１５等夫々を区画し、光軸線に沿った開口部が開口されている区画壁を有して筒状に構成して光源カバー１０としたものである。
また、光源収納室１２の後部には、照明器本体１に対する取付手段、具体的には光源収納室１２の後部に設けた嵌め合い段部１１と、この嵌め合い段部１１に嵌め合わされる照明器本体１前部における取付段部突条６とから成り、また光源収納室１２後部には光源嵌め合い口１７を開口形成してあるものである。
更に照明器本体１は、筒状の電池収納室２を後部に、前方に突出配置された光源４を固定した光源部５を前部に夫々配置してあり、光源４はＬＥＤ素子であるものとすることができる。
【０００７】
以上のように構成されたこの考案に係る投影型照明装置の光源カバー１０にあって、所定の照明器本体１の前部に光源４を覆い、これを収納するようにして配置固定することで、光源４による照明を凸レンズ１４にて収束して、投影板１６における開口部形状に対応した所定のシルエットの外郭形状を投影面等に投影させる。特に照明器本体１に光源４がその光軸線に沿わずに傾斜したものとなっていても、凸レンズ１４が照射線を収束させ、投影板１６における開口部形状のシルエットを投影面に明瞭に投影させる。
そして凸レンズ１４は、光源４からの照射作用による投影板１６の開口部の外郭形状そのものを投影面等に明瞭に照射投影させて表現させるものとし、また凸レンズ１４、投影板１６が組み込まれていることで、照明器本体１に簡単に着脱、更には交換させる。
光源嵌め合い口１７は、照明器本体１前部に配置してあるＬＥＤ素子の如き光源４を光軸線に沿わせるように保持固定し、投影板１６に開口した開口部にその照射線を対応合致させる。
【考案の効果】
【０００８】
以上のように説明したこの考案に係る投影型照明装置の光源カバー１０によれば、照明器本体１における突出配置の光源４を覆い、これを収納するようにして照明器本体１に連結することで、投影部構造の一層の小型化と簡素化とを図ることができると共に、光源４が光軸線に沿わずに傾斜していても凸レンズ１４を通じて投影されるシルエットの外郭形状を明瞭にし、また照明器本体１部分との組み合わせも容易となるユニット化したものとして構成することができる。
【０００９】
すなわちこれはこの考案において、光源収納室１２、レンズ室１３、投影室１５夫々を区画し、光軸線に沿った開口部が開口されている区画壁を有して筒状に構成したからであり、投影板１６の後方に凸レンズ１４を配置した投影部構造のものとして照明器本体１の前部に固定することによって、投影時における投影板１６によるシルエットの明瞭性を実現し、また照明器本体１に対する着脱性、交換性等を容易にできるのである。
【００１０】
更に照明器本体１は、筒状の電池収納室２を後部に、前方に突出配置された光源４を固定した光源部５を前部に夫々配置して構成してあるから、この小型化された照明器本体１に対して簡単に着脱でき、全体の小型化と共に簡単に取り扱うことができ、所定の投影面等に投影板１６の開口部に対応してシルエットの外郭形状を投影表示できるのである。
【００１１】
また光源カバー１０自体は、光源収納室１２後部に形成した嵌め合い段部１１を、照明器本体１の前部に形成した取付段部突条６に嵌め合わせる取付手段によって確実、簡単に照明器本体１に取付固定でき、また光源収納室１２後部に開口した光源嵌め合い口１７内に光源４を配置固定することで、ＬＥＤ素子である光源４をしっかりと保持し、これが外部からの衝撃、振動等によっても外れることなく保持されるものとすることができる。
【００１２】
尚、上記の課題を解決するための手段、考案の効果の項夫々において付記した符号は、図面中に記載した構成各部を示す部分との参照を容易にするために付したもので、図面中の符号によって示された構造・形状にこの考案が限定されるものではない。
【考案を実施するための最良の形態】
【００１３】
以下図面を参照してこの考案を実施するための最良の一形態を説明すると、図において示される符号１は照明器本体であり、この照明器本体１は筒状の電池収納室２を後部に、またこの電池収納室２内に収納したボタン電池の如き電源３に電気的に接続され、図示を省略したスイッチによって点灯、消灯される光源４例えば発光ダイオードの如きＬＥＤ素子を前方に突出配置させることで固定した光源部５を前部に夫々配置することで構成してあり、照明器本体１自体は全体が筒状を呈している。
【００１４】
この照明器本体１における光源部５は、照明器本体１の前部に光源４を突出させた状態のものとして構成されており、この光源部５の光源４を覆うようにユニット化された光源カバー１０が照明器本体１の前部に嵌め合わせ状にして固定してある。すなわち図示のように、照明器本体１の前部における前端面の周縁部にドーナツ状で突設形成した取付段部突条６に、光源カバー１０の後部縁に形成した嵌め合い段部１１によって嵌め合わせることで固定連結されるようにしてある。
【００１５】
光源カバー１０自体は、光源４自体を覆い、これを収納する光源収納室１２と、この光源収納室１２前方に配置する凸レンズ１４を収納するレンズ室１３と、このレンズ室１３の更に前方に配置する投影板１６を保持固定する投影室１５とを備えて成り、これらの光源収納室１２、レンズ室１３、投影室１５等夫々を区画し、光軸線に沿った開口部が開口されている区画壁を有する筒状に構成されている。
【００１６】
光源収納室１２は光源４を覆って、この光源４を収納するに十分な容積を備えており、レンズ室１３は凸レンズ１４をがたつくことなく保持収納するように形成されており、投影室１５は所定肉厚の例えばフィルム状の投影板１６を保持収納するように形成されている。これらは図２に示すように、光源カバー１０本体自体が左右で分割された半割り体相互の接合によって形成されるものとするとき、接合形成に際し光源４、凸レンズ１４、投影板１６夫々を位置決めして保持収納するものとなっている。
【００１７】
また光源収納室１２の後部には、照明器本体１の前部で突出状に配置されている光源４を貫挿させて嵌め合わせる光源嵌め合い口１７が開口形成されており、この光源嵌め合い口１７によっても光源４を保持でき、例えば光軸線に対して傾斜した状態で配置された光源４の位置・保持形態を矯正し、ＬＥＤ素子である光源４を光軸線に整合させることができるようになっている。
【００１８】
なお、投影板１６に開口形成される開口部は所定の各種のいわゆるキャラクターの外郭形状に対応するものであり、投影するシルエットの外郭形状が投影面に凸レンズ１４のレンズ作用と相俟ち明瞭に投影されるようにしてある。
【００１９】
次にこれの使用の一例を説明すると、照明器本体１における前部に突出配置されている光源４を覆うように照明器本体１前部に光源カバー１０を連結固定して携帯可能な投影型照明装置として構成するのである。そして、図示を省略したスイッチ操作で電源３から光源４に電力が供給されると光源４が点灯し、凸レンズ１４によって収束されて投影板１６における開口部の外郭形状を壁面その他の所定の投影面に投影表示するのである。そして、異なる外郭形状となる開口部を備えた各種の投影板１６を備えた光源カバー１０を照明器本体１に対して着脱、交換することで光の束となって投影される多様なシルエットを楽しむのである。
【図面の簡単な説明】
【００２０】
【図１】この考案を実施するための最良の形態を示す断面図である。
【図２】同じく分解斜視図である。
【図３】同じく一部切欠斜視図である。
【図４】従来の一例における断面図である。
【符号の説明】
【００２１】
１…照明器本体                          ２…電池収納室
３…電源                                ４…光源
５…光源部                              ６…取付段部突条
１０…光源カバー                        １１…嵌め合い段部
１２…光源収納室                        １３…レンズ室
１４…凸レンズ                          １５…投影室
１６…投影板                            １７…光源嵌め合い口
２１…投影室胴体部                      ２２…光源室
２３…レンズ室胴体部                    ２４…凸レンズ
２５…投影室                            ２６…投影板
【図１】
0003105026.tif 000003
【図２】
0003105026.tif 000004
【図３】
0003105026.tif 000005
【図４】
0003105026.tif 000006